(57)【要約】【課題】簡易な構成で、高精度かつ受信感度が高い希望波を受信できる受信装置を提供すること。【解決手段】生成された中間周波数信号から所望帯域の中間周波数信号を取り出して所望のベースバンド信号を出力する受信装置１Ａにおいて、前記生成された中間周波数信号から前記所望帯域に隣接する中間周波数信号を検出する隣接信号検出手段と、前記所望帯域の中間周波数信号の中心周波数を中心に、少なくとも前記所望帯域の一方側を狭帯域にカバーする狭帯域フィルタリングと前記所望帯域に隣接する両帯域の一部をもカバーする広帯域フィルタリングとを行って前記所望帯域の中間周波数信号を取り出すフィルタ７，８と、前記隣接信号検出手段が前記所望帯域に隣接する中間周波数信号を検出した場合に前記狭帯域フィルタリングを行わせ、前記所望帯域に隣接する中間周波数信号を検出しない場合に前記広帯域フィルタリングを行わせる制御手段と、を備える。【選択図】      図１
2004364049.tif 000002
【特許請求の範囲】
【請求項１】
生成された中間周波数信号から所望帯域の中間周波数信号を取り出して所望のベースバンド信号を出力する受信装置において、
前記生成された中間周波数信号から前記所望帯域に隣接する中間周波数信号を検出する隣接信号検出手段と、
前記所望帯域の中間周波数信号の中心周波数を中心に、少なくとも前記所望帯域の一方側を狭帯域にカバーする狭帯域フィルタリングと前記所望帯域に隣接する両帯域の一部をもカバーする広帯域フィルタリングとを行って前記所望帯域の中間周波数信号を取り出すフィルタと、
前記隣接信号検出手段が前記所望帯域に隣接する中間周波数信号を検出した場合に前記狭帯域フィルタリングを行わせ、前記所望帯域に隣接する中間周波数信号を検出しない場合に前記広帯域フィルタリングを行わせる制御手段と、
を備えたことを特徴とする受信装置。
【請求項２】
生成された中間周波数信号から所望帯域の中間周波数信号を取り出して所望のベースバンド信号を出力する受信装置において、
前記所望のベースバンド信号をもとに前記所望帯域のエラー値を計数するエラー計数手段と、
前記所望帯域の中間周波数信号の中心周波数を中心に、少なくとも前記所望帯域の一方側を狭帯域にカバーする狭帯域フィルタリングと前記所望帯域に隣接する帯域の一部をもカバーする広帯域フィルタリングとを行って前記所望帯域の中間周波数信号を取り出すフィルタと、
前記エラー計数手段が所定のエラー値を越えた場合に前記狭帯域フィルタリングを行わせ、前記所定のエラー値を越えない場合に前記広帯域フィルタリングを行わせる制御手段と、
を備えたことを特徴とする受信装置。
【請求項３】
生成された中間周波数信号から所望帯域の中間周波数信号を取り出して所望のベースバンド信号を出力する受信装置において、
前記所望のベースバンド信号をもとに変調精度を検出する変調精度検出手段と、
前記所望帯域の中間周波数信号の中心周波数を中心に、少なくとも前記所望帯域の一方側を狭帯域にカバーする狭帯域フィルタリングと前記所望帯域に隣接する帯域の一部をもカバーする広帯域フィルタリングとを行って前記所望帯域の中間周波数信号を取り出すフィルタと、
前記変調精度検出手段が検出した変調精度が所定値以上である場合に前記狭帯域フィルタリングを行わせ、前記変調精度が所定値未満である場合に前記広帯域フィルタリングを行わせる制御手段と、
を備えたことを特徴とする受信装置。
【請求項４】
前記フィルタは、
前記所望帯域の両側を狭帯域にカバーする狭帯域フィルタリングを行う狭帯域フィルタと、
前記狭帯域フィルタに並列接続され、前記広帯域フィルタリングを行う広帯域フィルタと、
前記狭帯域フィルタおよび前記広帯域フィルタの前段に設けられ、前記狭帯域フィルタと前記広帯域フィルタとを切り替える切替手段と、
を備え、前記制御手段は、前記切替手段を切替制御することを特徴とする請求項１〜３のいずれか一つに記載の受信装置。
【請求項５】
前記隣接信号検出手段は、
前記所望帯域に隣接する高周波側の中間周波数信号をフィルタリングする高周波隣接フィルタと、
前記高周波隣接フィルタに並列接続され、前記所望帯域に隣接する低周波側の中間周波数信号をフィルタリングする低周波隣接フィルタと、
前記高周波隣接フィルタおよび前記低周波隣接フィルタの後段に設けられ、前記所望帯域に隣接する中間周波数信号を検波する検波手段と、
を備え、前記制御手段は、前記検波手段によって前記所望帯域に隣接する中間周波数信号が検出された場合に、前記切替手段を制御して狭帯域フィルタに切り替えることを特徴とする請求項１または４に記載の受信装置。
【請求項６】
前記フィルタは、
前記広帯域フィルタリングの通過帯域を有し、前記中心周波数がシフトする可変広帯域フィルタであり、
前記制御手段は、前記隣接信号検出手段が前記所望帯域に隣接する高周波側の中間周波数信号を検出した場合に前記中心周波数を低周波側にシフトして狭帯域フィルタリングを行わせ、前記所望帯域に隣接する低周波側の中間周波数を検出した場合に前記中間周波数を高周波側にシフトして前記狭帯域フィルタリングを行わせ、前記所望帯域に隣接する中間周波数信号を検出しない場合に前記広帯域フィルタリングを行わせることを特徴とする請求項１に記載の受信装置。
【請求項７】
前記フィルタは、
前記広帯域フィルタリングを行う広帯域フィルタと、
前記所望帯域に隣接する低周波側を狭帯域にフィルタリングするハイパスフィルタと、
前記ハイパスフィルタに並列接続され、前記所望帯域に隣接する高周波側を狭帯域にフィルタリングするローパスフィルタと、
前記ハイパスフィルタに並列接続された通信線と、
前記広帯域フィルタと前記ハイパスフィルタ、前記ローパスフィルタおよび前記通信線との間に配置され、前記ハイパスフィルタ、前記ローパスフィルタおよび前記通信線の切替接続を行う切替接続手段と、
を備え、前記制御手段は、前記隣接信号検出手段が前記所望帯域に隣接する高周波側の中間周波数信号を検出した場合に前記ローパスフィルタに切替制御して前記狭帯域フィルタリングを行わせ、前記所望帯域に隣接する低周波側の中間周波数を検出した場合に前記ハイパスフィルタに切替制御して前記狭帯域フィルタリングを行わせ、前記所望帯域に隣接する中間周波数信号を検出しない場合に前記通信線に切替制御して広帯域フィルタリングを行わせることを特徴とする請求項１に記載の受信装置。
【請求項８】
前記制御手段は、前記所望帯域に隣接する中間周波数信号を検出する検出処理および／または前記狭帯域フィルタリングと前記広帯域フィルタリングとの切替処理を前記所望帯域の受信フレーム以外の空きフレームに行うことを特徴とする請求項１〜７のいずれか一つに記載の受信装置。
【請求項９】
前記隣接信号検出手段、前記エラー計数手段、前記変調精度検出手段、前記フィルタ、および前記制御手段のうちの１以上の組み合わせの各処理をデジタル信号演算器によって行うことを特徴とする請求項１〜８のいずれか一つに記載の受信装置。
【請求項１０】
前記デジタル信号演算器は、前記所望帯域の中間周波数信号を前記所望のベースバンド信号に変換する処理を行うことを特徴とする請求項９に記載の受信装置。
【発明の詳細な説明】
【０００１】
【発明の属する技術分野】
この発明は、狭帯域無線通信の受信側で、高周波を復調して中間周波数帯域に変換した受信信号をフィルタリングする受信装置に関し、特に、デジタル通信用に好適な受信装置に関するものである。
【０００２】
【従来の技術】
近年、無線通信の分野では、移動体通信機の普及に伴って、通信回線の需要が高まってきている。無線回線の需要に対応するためには、無線回線数を増やすことになるが、無線回線に開放されている周波数帯域は限られているため、個々の無線回線に割り当てられる周波数帯域の幅は狭くなる。
【０００３】
特に、近年増加しているデジタル通信分野では、中間周波数帯域信号（ＩＦ信号）の１回線に使用される周波数帯域幅は６．２５ｋＨｚとなっており、従来用いられてきた１２．５ｋＨｚの半分の帯域幅となっている。
【０００４】
帯域幅が狭くなると、受信希望周波数（希望波）帯域と隣接周波数帯域（隣接チャンネル）との間隔が狭くなるために、隣接チャンネルの信号除去を目的としたフィルタリングが重要になる。特に、デジタル通信では、隣接チャンネルの信号（隣接妨害波）を取り込むと、単にＳ／Ｎ比が低下するばかりでなく、データ自体が変質するため、信号のフィルタリングは、特に重要である。
【０００５】
一般的に、ＩＦ信号は信号加工がし易いために、ＩＦ信号の段階で帯域通過フィルタ（ＢＰＦ：Ｂａｎｄ  Ｐａｓｓ  Ｆｉｌｔｅｒ）を通過させることによって、フィルタリングを行っている。
【０００６】
図１７は、従来の受信装置の概略構成を示すブロック図である。図１７において、この受信装置１００は、無線信号を、アンテナ２を介して高周波増幅器（フロントエンド）３に入力し、高周波数帯域信号（ＲＦ信号）とする。そして、ＲＦ信号をミキサー５に送出し、１次局部発振器４から送出された信号と混合して、ＩＦ信号に復調する。
【０００７】
ＩＦ信号を広帯域ＢＰＦ７によってフィルタリングし、さらに、ミキサー１０に送出する。ミキサー１０では、２次局部発振器９から送出された信号と混合して、Ｉ信号とＱ信号（Ｉ／Ｑベースバンド信号）とに復調する。そして、Ｉ／Ｑベースバンド信号を、夫々アナログ・デジタル変換器（Ａ／Ｄコンバータ）１１，１２を介して、デジタル信号に変換して制御部１３に送出する。
【０００８】
制御部１３は、デジタル信号演算器（ＤＳＰ：Ｄｉｇｉｔａｌ  Ｓｉｇｎａｌ  Ｐｒｏｃｅｓｓｏｒ）１９と中央演算器（ＣＰＵ：Ｃｅｎｔｒａｌ  Ｐｒｏｃｅｓｓｏｒ  Ｕｎｉｔ）２０とを有している。ＤＳＰ１９とＣＰＵ２０は、入力したデジタル信号に必要なデータ信号の抽出処理と演算処理とを行い、増幅器（アンプ）１４に信号を送出し、スピーカ１５を介して出力する。
【０００９】
広帯域ＢＰＦ７のみによってＩＦ信号をフィルタリングすると、隣接妨害波が出現した時に、ノイズとして混入し、良好な通信が行えない。そこで、ＩＦ信号用の高性能のＢＰＦが考案されている（特許文献１参照）。
【００１０】
【特許文献１】
特開平１１−２０５２０４号公報
【００１１】
【発明が解決しようとする課題】
上述したように、ＩＦ信号を広帯域ＢＰＦでフィルタリングすると、帯域通過周波数幅が広いため、隣接妨害波が混入し、受信精度が落ちるという問題点があった。
【００１２】
一方、狭帯域ＢＰＦでフィルタリングすると、帯域通過周波数幅が狭いため、受信感度が小さくなるという問題点があった。
【００１３】
すなわち、ＩＦ信号を広帯域ＢＰＦあるいは狭帯域ＢＰＦのいずれか一方でフィルタリングすると、受信精度が落ちる、あるいは受信感度が小さくなるという問題点が生じることになる。
【００１４】
なお、受信装置に高精度のＢＰＦを搭載すると、ＢＰＦ自体の構成が複雑になるとともに、受信装置全体のコストが高くなるという問題点があった。
【００１５】
この発明は上記に鑑みてなされたもので、簡易な構成で、高精度かつ受信感度が高い希望波を受信できる受信装置を提供することを目的とする。
【００１６】
【課題を解決するための手段】
上記目的を達成するために、請求項１にかかる受信装置は、生成された中間周波数信号から所望帯域の中間周波数信号を取り出して所望のベースバンド信号を出力する受信装置において、前記生成された中間周波数信号から前記所望帯域に隣接する中間周波数信号を検出する隣接信号検出手段と、前記所望帯域の中間周波数信号の中心周波数を中心に、少なくとも前記所望帯域の一方側を狭帯域にカバーする狭帯域フィルタリングと前記所望帯域に隣接する両帯域の一部をもカバーする広帯域フィルタリングとを行って前記所望帯域の中間周波数信号を取り出すフィルタと、前記隣接信号検出手段が前記所望帯域に隣接する中間周波数信号を検出した場合に前記狭帯域フィルタリングを行わせ、前記所望帯域に隣接する中間周波数信号を検出しない場合に前記広帯域フィルタリングを行わせる制御手段と、を備えたことを特徴とする。
【００１７】
この請求項１の発明によれば、希望波の周波数帯域の隣接するチャンネルの隣接妨害波検出を行い、隣接妨害波の検出有無によってフィルタリングの切替えを行うようにしている。
【００１８】
また、請求項２にかかる受信装置は、生成された中間周波数信号から所望帯域の中間周波数信号を取り出して所望のベースバンド信号を出力する受信装置において、前記所望のベースバンド信号をもとに前記所望帯域のエラー値を計数するエラー計数手段と、前記所望帯域の中間周波数信号の中心周波数を中心に、少なくとも前記所望帯域の一方側を狭帯域にカバーする狭帯域フィルタリングと前記所望帯域に隣接する帯域の一部をもカバーする広帯域フィルタリングとを行って前記所望帯域の中間周波数信号を取り出すフィルタと、前記エラー計数手段が所定のエラー値を越えた場合に前記狭帯域フィルタリングを行わせ、前記所定のエラー値を越えない場合に前記広帯域フィルタリングを行わせる制御手段と、を備えたことを特徴とする。
【００１９】
この請求項２の発明によれば、ベースバンド信号をもとに、ビットエラー値に所定の基準値を設けることによって、隣接妨害波の検出を行うようにしている。
【００２０】
また、請求項３にかかる受信装置は、生成された中間周波数信号から所望帯域の中間周波数信号を取り出して所望のベースバンド信号を出力する受信装置において、前記所望のベースバンド信号をもとに変調精度を検出する変調精度検出手段と、前記所望帯域の中間周波数信号の中心周波数を中心に、少なくとも前記所望帯域の一方側を狭帯域にカバーする狭帯域フィルタリングと前記所望帯域に隣接する帯域の一部をもカバーする広帯域フィルタリングとを行って前記所望帯域の中間周波数信号を取り出すフィルタと、前記変調精度検出手段が検出した変調精度が所定値以上である場合に前記狭帯域フィルタリングを行わせ、前記変調精度が所定値未満である場合に前記広帯域フィルタリングを行わせる制御手段と、を備えたことを特徴とする。
【００２１】
この請求項３の発明によれば、ベースバンド信号をもとに、変調精度に所定の基準値を設けることによって、隣接妨害波の検出を行うようにしている。
【００２２】
また、請求項４にかかる受信装置は、前記フィルタは、前記所望帯域の両側を狭帯域にカバーする狭帯域フィルタリングを行う狭帯域フィルタと、前記狭帯域フィルタに並列接続され、前記広帯域フィルタリングを行う広帯域フィルタと、前記狭帯域フィルタおよび前記広帯域フィルタの前段に設けられ、前記狭帯域フィルタと前記広帯域フィルタとを切り替える切替手段と、を備え、前記制御手段は、前記切替手段を切替制御することを特徴とする。
【００２３】
この請求項４の発明によれば、隣接妨害波が検出された場合、広帯域ＢＰＦから狭帯域ＢＰＦへ切替えてフィルタリングするようにしている。
【００２４】
また、請求項５にかかる受信装置は、前記隣接信号検出手段は、前記所望帯域に隣接する高周波側の中間周波数信号をフィルタリングする高周波隣接フィルタと、前記高周波隣接フィルタに並列接続され、前記所望帯域に隣接する低周波側の中間周波数信号をフィルタリングする低周波隣接フィルタと、前記高周波隣接フィルタおよび前記低周波隣接フィルタの後段に設けられ、前記所望帯域に隣接する中間周波数信号を検波する検波手段と、を備え、前記制御手段は、前記検波手段によって前記所望帯域に隣接する中間周波数信号が検出された場合に、前記切替手段を制御して狭帯域フィルタに切り替えることを特徴とする。
【００２５】
この請求項５の発明によれば、広帯域ＢＰＦと、狭帯域ＢＰＦとに夫々検波器を接続することによって、隣接妨害波が希望波に対して高周波数帯域に存在するのか、低周波数帯域に存在するのかを分別できるようにしている。
【００２６】
また、請求項６にかかる受信装置は、前記フィルタは、前記広帯域フィルタリングの通過帯域を有し、前記中心周波数がシフトする可変広帯域フィルタであり、前記制御手段は、前記隣接信号検出手段が前記所望帯域に隣接する高周波側の中間周波数信号を検出した場合に前記中心周波数を低周波側にシフトして狭帯域フィルタリングを行わせ、前記所望帯域に隣接する低周波側の中間周波数を検出した場合に前記中間周波数を高周波側にシフトして前記狭帯域フィルタリングを行わせ、前記所望帯域に隣接する中間周波数信号を検出しない場合に前記広帯域フィルタリングを行わせることを特徴とする。
【００２７】
この請求項６の発明によれば、隣接妨害波が希望波に対して高周波数側で検出された場合は、広帯域ＢＰＦの中心周波数を低周波数帯域側にシフトさせ、隣接妨害波が希望波に対して低周波数帯域で検出された場合は、広帯域ＢＰＦの中心周波数を高周波数帯域にシフトさせてフィルタリングするようにしている。
【００２８】
また、請求項７にかかる受信装置は、前記フィルタは、前記広帯域フィルタリングを行う広帯域フィルタと、前記所望帯域に隣接する低周波側を狭帯域にフィルタリングするハイパスフィルタと、前記ハイパスフィルタに並列接続され、前記所望帯域に隣接する高周波側を狭帯域にフィルタリングするローパスフィルタと、前記ハイパスフィルタに並列接続された通信線と、前記広帯域フィルタと前記ハイパスフィルタ、前記ローパスフィルタおよび前記通信線との間に配置され、前記ハイパスフィルタ、前記ローパスフィルタおよび前記通信線の切替接続を行う切替接続手段と、を備え、前記制御手段は、前記隣接信号検出手段が前記所望帯域に隣接する高周波側の中間周波数信号を検出した場合に前記ローパスフィルタに切替制御して前記狭帯域フィルタリングを行わせ、前記所望帯域に隣接する低周波側の中間周波数を検出した場合に前記ハイパスフィルタに切替制御して前記狭帯域フィルタリングを行わせ、前記所望帯域に隣接する中間周波数信号を検出しない場合に前記通信線に切替制御して広帯域フィルタリングを行わせることを特徴とする。
【００２９】
この請求項７の発明によれば、隣接妨害波が希望波に対して高周波数側で検出された場合は、広帯域ＢＰＦにさらにＬＰＦを重畳してフィルタリングし、隣接妨害波が希望波に対して低周波数帯域で検出された場合は、広帯域ＢＰＦにさらにＨＰＦを重畳してフィルタリングするようにしている。
【００３０】
また、請求項８にかかる受信装置は、前記制御手段は、前記所望帯域に隣接する中間周波数信号を検出する検出処理および／または前記狭帯域フィルタリングと前記広帯域フィルタリングとの切替処理を前記所望帯域の受信フレーム以外の空きフレームに行うことを特徴とする。
【００３１】
この請求項８の発明によれば、受信フレーム以外の空きフレームに隣接妨害波の検出を行い、隣接妨害波が検出された場合は、フィルタ方法を変更するようにしている。
【００３２】
また、請求項９にかかる受信装置は、前記隣接信号検出手段、前記エラー計数手段、前記変調精度検出手段、前記フィルタ、および前記制御手段のうちの１以上の組み合わせの各処理をデジタル信号演算器によって行うことを特徴とする。
【００３３】
この請求項９の発明によれば、制御部が隣接妨害波の検出を行い、かつフィルタリングを行うことができるようにしている。
【００３４】
また、請求項１０にかかる受信装置は、前記デジタル信号演算器は、前記所望帯域の中間周波数信号を前記所望のベースバンド信号に変換する処理を行うことを特徴とする。
【００３５】
この請求項１０の発明によれば、制御部がＩＦ信号からＩ／Ｑベースバンド信号への復調を行うようにしている。
【００３６】
【発明の実施の形態】
以下に、添付図面を参照して、この発明にかかる受信装置の好適な実施の形態を詳細に説明する。
【００３７】
（実施の形態１）
図１は、この発明の実施の形態１である受信装置の構成を示すブロック図である。この受信装置１Ａは、隣接妨害波が検出された場合、ＢＰＦ切替制御を行い、広帯域ＢＰＦ７から狭帯域ＢＰＦ８に切替えてフィルタリングすることができることを特徴としている。
【００３８】
受信装置１Ａは、フロントエンド３と、１次局部発振器４と、ミキサー５と、スイッチ６と、広帯域ＢＰＦ７と、狭帯域ＢＰＦ８と、２次局部発振器９と、ミキサー１０と、Ａ／Ｄコンバータ１１，１２と、制御部１３と、アンプ１４と、希望波に対して高周波数帯域側の隣接チャンネル用ＢＰＦ（＋側隣接チャンネル用ＢＰＦ）１６と、希望波に対して低周波数帯域側の隣接チャンネル用ＢＰＦ（−側隣接チャンネル用ＢＰＦ）１７と、検波器１８とを有している。
【００３９】
アンンテナ２を介して受信した信号を、フロントエンド３で増幅してＲＦ信号とし、ミキサー５に送出する。ミキサー５で、入力したＲＦ信号と１次局部発振器４から発振された信号とを混合し、ＩＦ信号に復調する。
【００４０】
ＩＦ信号を、＋側隣接ＢＰＦ１６と、検波器１８とを通過させることによって、希望波に対して高周波数帯域側の妨害波を検出する。また、−側隣接ＢＰＦ１７と、検波器１８とによって、希望波に対して低周波数帯域側の妨害波を検出する。
【００４１】
そして、検波器１８は、検出結果を示す隣接妨害波検出信号Ｓ１０を制御部１３に送出する。制御部１３は隣接妨害波検出信号Ｓ１０に応じて切替制御信号Ｃ１を送出し、スイッチ６を作動させて、ＩＦ信号を広帯域ＢＰＦ７によるフィルタリングを行うか、狭帯域ＢＰＦ８によるフィルタリングを行うかを選択する。
【００４２】
広帯域ＢＰＦ７もしくは狭帯域ＢＰＦ８によるフィルタリングを行ったＩＦ信号を、ミキサー１０に送出する。ミキサー１０で、入力したＩＦ信号と２次局部発振器９から発振された信号とを混合し、Ｉ／Ｑベースバンド信号に復調する。そして、Ｉ信号とＱ信号とを夫々Ａ／Ｄコンバータ１１，１２に送出し、デジタル信号に変換し、制御部１３に送出する。
【００４３】
制御部１３は、ＤＳＰ１９とＣＰＵ２０によって入力したデジタル信号から必要なデータ信号の抽出処理と演算処理とを行い、アンプ１４に信号を送出し、スピーカ１５を介して出力する。
【００４４】
ここで、図２に示すフローチャートをもとに、制御部１３によるＢＰＦ切替制御について具体的に説明する。まず、制御部１３は検波器１８から送出された隣接妨害波検出信号Ｓ１０を受信する。そこで、隣接妨害波が存在するか否かの隣接妨害波検出の有無を判断する（ステップＳ１０１）。隣接妨害波が無いと判断した場合（ステップＳ１０１  Ｎｏ）は、広帯域ＢＰＦ７でフィルタリングする広帯域ＢＰＦ７設定（ステップＳ１０２）を行う。そして、スイッチ６を介して広帯域ＢＰＦ７によるフィルタリングが行われるようなＢＰＦ切替制御信号Ｃ１０を送出する。また、隣接妨害波が有ると判断した場合（ステップＳ１０１  Ｙｅｓ）は、狭帯域ＢＰＦ８でフィルタリングを行う狭帯域ＢＰＦ８設定（ステップＳ１０３）を行う。そして、スイッチ６を介してＩＦ信号が狭帯域ＢＰＦ８によりフィルタリングが行われるようなＢＰＦ切替制御信号Ｃ１０を送出する。
【００４５】
図３はこの発明の実施の形態１である受信装置１Ａによって、ＢＰＦ切替制御が行われた受信状態を示す説明図である。図３（ａ）に示すように隣接妨害波が検出されない場合は、広帯域ＢＰＦ７によるフィルタリングが行われ、広帯域ＢＰＦ領域ＦＷ内に希望波領域Ｗ１が入る。広帯域ＢＰＦ領域ＦＷと希望波領域Ｗ１とのマージンＭ１を大きくとることができるために、高感度で受信できる。一方、図３（ｂ）に示すように隣接妨害波が検出された場合は、ＢＰＦ切替制御によって狭帯域ＢＰＦ８によるフィルタリングが行われ、狭帯域ＢＰＦ領域ＦＮ内に希望波領域Ｗ１が入る。狭帯域ＢＰＦ領域ＦＮと妨害波領域Ｗ２，Ｗ３とが接近するため、希望波領域Ｗ１と狭帯域ＢＰＦ領域ＦＮとのマージンＭ２は小さくなり、感度は落ちるが、希望波領域Ｗ１と妨害波領域Ｗ２，Ｗ３との完全隔離ができる。
【００４６】
したがって、ミキサー５から送出したＩＦ信号をモニタし、隣接妨害波が存在しない場合は、広帯域ＢＰＦ７でフィルタリングを行い、隣接妨害波が存在しない場合は、狭帯域ＢＰＦ８でフィルタリングを行うように、隣接妨害波の有無に応じてフィルタリングの方法を変える。これによって、隣接妨害波が無い場合は、高感度で受信でき、隣接妨害波が有る場合は、低ノイズで受信できる。
【００４７】
（実施の形態２）
つぎに、この発明の実施の形態２について説明する。上述した実施の形態１では、隣接妨害波の有無に応じてフィルタリングの方法を変えたが、この実施の形態２では、隣接妨害波が希望波に対して高周波数帯域側で検出した場合と、隣接妨害波が希望波に対して低周波数側で検出した場合とによって、広帯域ＢＰＦ７の中心周波数をシフトさせてフィルタリングを行うことを特徴としている。
【００４８】
図４は、この発明の実施の形態２である受信装置１Ｂの構成を示すブロック図である。なお、図１と同一の機能については同一の符号を付す。
【００４９】
ミキサー５で変換されたＩＦ信号は、＋側隣接チャンネル用ＢＰＦ１６と、検波器１８ａとを通過させることによって、希望波に対して高周波数帯域側の隣接妨害波を検出する。また、−側隣接チャンネル用ＢＰＦ１７と、検波器１８ｂとによって、希望波に対して低周波数帯域側の隣接妨害波を検出する。そして、夫々の検出信号Ｓ２１，Ｓ２２とを制御部１３に送出する。
【００５０】
制御部１３は、入力した検出信号Ｓ２１，Ｓ２２に応じて中心周波数変更信号Ｃ１１を送出して、可変広帯域ＢＰＦ７ａの中心周波数変更を行う。そして、希望波に対して可変広帯域ＢＰＦ７ａの中心周波数をシフトさせてフィルタリングを行う。つまり、制御部１３は、検波器１８ａからの検出信号Ｓ２１により、希望波に対して高周波数帯域に隣接妨害波が検出された場合は、中心周波数変更信号Ｃ１１を送出し、可変広帯域ＢＰＦ７ａの中心周波数を低周波数側にシフトさせてフィルタリングを行う。また、検波器１８ｂからの検出信号Ｓ２２により、希望波に対して低周波数帯域に隣接妨害波が検出された場合は、中心周波数変更信号Ｃ１１を送出して、可変広帯域ＢＰＦ７ａを高周波数帯域側にシフトさせてフィルタリングを行う。
【００５１】
ここで、図５に示すフローチャートをもとに、制御部１３によるＢＰＦ中心周波数変更について具体的に説明する。まず、制御部１３は検波器１８ａ，１８ｂから送出された検出信号Ｓ２１，Ｓ２２を受信する。そして、検出信号Ｓ２１，Ｓ２２によって希望波に対して高周波数帯域側に隣接妨害波が存在するかの＋側妨害波検出を判断する（ステップＳ２０１）。ここで、希望波に対して高周波数帯域側に隣接妨害波が検出されたと判断すれば（ステップＳ２０１  Ｙｅｓ）、中心周波数変更信号Ｃ１１により、可変広帯域ＢＰＦ７ａの中心周波数を低周波数帯域側にシフトさせてフィルタリングを行う（ステップＳ２０２）。また、そこで隣接妨害波が検出されないと判断すれば（ステップＳ２０１  Ｎｏ）、希望波に対して低周波数帯域側に隣接妨害波が存在するのかの−側妨害波検出を判断する（ステップＳ２０３）。そして、希望波に対して低周波数側に隣接妨害波が検出されたと判断すれば（ステップＳ２０３  Ｙｅｓ）、中心周波数変更信号Ｃ１１により、可変広帯域ＢＰＦ７ａの中心周波数を高周波数帯域側にシフトさせてフィルタリングを行う（ステップＳ２０４）。また、そこで、隣接妨害波が検出されないと判断すれば（ステップＳ２０３  Ｎｏ）、中心周波数変更信号Ｃ１１により、可変広帯域ＢＰＦ７ａの中心周波数変更は行わないでフィルタリングを行う（ステップＳ２０５）。
【００５２】
図６はこの発明の実施の形態２である受信装置１Ｂによって、可変広帯域ＢＰＦ７ａの中心周波数変更が行われた受信状態を示す説明図である。図６（ｂ）に示すように、希望波に対して高周波数帯域側に隣接妨害波が検出された場合は、中心周波数変更信号Ｃ１１により可変広帯域ＢＰＦ７ａの中心周波数を低周波数帯域側にシフトする。すると、可変広帯域ＢＰＦ領域ＣＦＷの中心は、希望波領域Ｗ１に対して低周波数帯域側にシフトするため、可変広帯域ＢＰＦ領域ＣＦＷと隣接妨害波領域Ｗ３とが干渉しない。したがって、高周波数帯域側の隣接妨害波をフィルタリングによって除去できる。
【００５３】
また、図６（ｃ）に示すように、希望波に対して低周波数帯域側に隣接側妨害波が検出された場合は、中心周波数変更信号Ｃ１１により可変広帯域ＢＰＦ７ａの中心周波数を高周波数帯域側にシフトする。すると、可変広帯域ＢＰＦ領域ＣＦＷの中心は、希望波領域Ｗ１に対して高周波数帯域側にシフトするため、可変広帯域ＢＰＦ領域ＣＦＷと隣接妨害波領域Ｗ２とが干渉しない。したがって、低周波数帯域側の隣接妨害波をフィルタリングによって除去できる。また、図６（ａ）に示すように、希望波に対して隣接妨害波が検出されなかった場合は、中心周波数変更信号Ｃ１１により可変広帯域ＢＰＦ領域ＣＦＷのシフトは行わない。
【００５４】
したがって、ミキサー５から送出したＩＦ信号をモニタし、希望波に対して、高周波数帯域側に隣接妨害波が存在すれば、可変広帯域ＢＰＦ７ａの中心周波数を低周波数帯域側にシフトさせ、また、希望波に対して低周波数帯域側に隣接妨害波が存在すれば、可変広帯域ＢＰＦ７ａの中心周波数を高周波数帯域側にシフトさせてフィルタリングすることにより、高感度を保った状態で、ノイズを除去した受信が可能となる。なお、上述した実施の形態２では、最初に高周波数側の隣接妨害波を検出し、その後に低周波数側の隣接妨害波の検出を行ったが、この順番を逆にしてもよい。
【００５５】
（実施の形態３）
つぎに、この発明の実施の形態３について説明する。実施の形態２では、隣接妨害波の存在する周波数帯域に応じて、可変広帯域ＢＰＦの中心周波数をシフトさせてフィルタリングを行ったが、この実施の形態３では、隣接妨害波が希望波に対して高周波数帯域側で検出した場合は、広帯域ＢＰＦにさらに低周波数帯域通過フィルタ（ＬＰＦ：Ｌｏｗ  Ｐａｓｓ  Ｆｉｌｔｅｒ）７ｂを重畳してフィルタリングを行い、隣接妨害波が希望波に対して低周波数側で検出した場合は、広帯域ＢＰＦにさらに高周波数帯域通過フィルタ（ＨＰＦ：Ｈｉｇｈ  Ｐａｓｓ  Ｆｉｌｔｅｒ）７ｃを重畳してフィルタリングすることを特徴としている。
【００５６】
図７は、この発明の実施の形態３である受信装置１Ｃの構成を示すブロック図である。なお、図１と同一の機能については同一の符号を付す。
【００５７】
ミキサー５で変換されたＩＦ信号は、＋側隣接チャンネル用ＢＰＦ１６と、検波器１８ａとを通過させることによって、希望波に対して高周波数帯域側の隣接妨害波を検出する。また、−側隣接チャンネル用ＢＰＦ１７と、検波器１８ｂとによって、希望波に対して低周波数帯域側の隣接妨害波を検出する。そして、夫々の検出信号Ｓ２１，Ｓ２２とを制御部１３に送出する。そして同時に、広帯域ＢＰＦ７によるフィルタリングを行う。
【００５８】
制御部１３は、入力した検出信号Ｓ２１，Ｓ２２に応じてフィルタ切替制御信号Ｃ１２を送出して、広帯域ＢＰＦ７に重畳するフィルタの選択を行う。そして、希望波に対して隣接妨害波の存在する周波数帯域に応じて広帯域ＢＰＦにさらに適当なフィルタを重畳してフィルタリングを行う。つまり、制御部１３は、検波器１８ａからの検出信号Ｓ２１により、希望波に対して高周波数帯域に隣接妨害波が検出された場合は、フィルタ切替制御信号Ｃ１２を送出し、広帯域ＢＰＦ７にＬＰＦ７ｂを重畳してフィルタリングを行う。また、検波器１８ｂからの検出信号Ｓ２２により、希望波に対して低周波数帯域に隣接妨害波が検出された場合は、フィルタ切替制御信号Ｃ１２を送出して、広帯域ＢＰＦ７にＨＰＦ７ｃを重畳してフィルタリングを行う。
【００５９】
ここで、図８に示すフローチャートをもとに、制御部１３による広帯域ＢＰＦ７に重畳するフィルタ切替制御について具体的に説明する。まず、制御部１３は検波器１８ａ，１８ｂから送出された検出信号Ｓ２１，Ｓ２２を受信する。そして、検出信号Ｓ２１，Ｓ２２によって希望波に対して高周波数帯域側に隣接妨害波が存在するかの＋側妨害波検出を判断する（ステップＳ３０１）。ここで、希望波に対して高周波数帯域側に隣接妨害波が検出されたと判断すれば（ステップＳ３０１  Ｙｅｓ）、フィルタ切替制御信号Ｃ１２により、広帯域ＢＰＦ７にＬＰＦ７ｂを重畳させてフィルタリングを行う（ステップＳ３０２）。また、そこで隣接妨害波が検出されないと判断すれば（ステップＳ３０１  Ｎｏ）、希望波に対して低周波数帯域側に隣接妨害波が存在するのかの−側妨害波検出を判断する（ステップＳ３０３）。そして、希望波に対して低周波数側に隣接妨害波が検出されたと判断すれば（ステップＳ３０３  Ｙｅｓ）、フィルタ切替制御信号Ｃ１２により、広帯域ＢＰＦ７にＨＰＦ７ｃを重畳してフィルタリングを行う（ステップＳ３０４）。また、そこで、隣接妨害波が検出されないと判断すれば（ステップＳ３０３  Ｎｏ）、フィルタ切替制御信号Ｃ１２により、広帯域ＢＰＦ７には重畳するフィルタ無しでフィルタリングを行う（ステップＳ３０５）。
【００６０】
図９はこの発明の実施の形態３である無線受信装置１Ｃによって、広帯域ＢＰＦ７にフィルタ重畳が行われた受信状態を示す説明図である。図９（ｂ）に示すように、希望波に対して高周波数帯域側に隣接妨害波が検出された場合は、フィルタ切替制御信号Ｃ１２により広帯域ＢＰＦ７にＬＰＦ７ｂが重畳される。すると、広帯域ＢＰＦ領域ＣＦＷにさらにＬＰＦ領域ＦＬが重なるため、ＬＰＦ領域ＦＬと隣接妨害波領域Ｗ３とが干渉しない。したがって、高周波数帯域側の隣接妨害波をフィルタリングによって除去できる。
【００６１】
また、図９（ｃ）に示すように、希望波に対して低周波数帯域側に隣接側妨害波が検出された場合は、フィルタ切替制御信号Ｃ１２により広帯域ＢＰＦ７にＨＰＦ７ｃが重畳される。すると、広帯域ＢＰＦ領域ＣＦＷにさらにＨＰＦ領域ＦＨが重なるため、ＨＰＦ領域ＦＷと隣接妨害波領域Ｗ２とが干渉しない。したがって、低周波数帯域側の隣接妨害波をフィルタリングによって除去できる。また、図９（ａ）に示すように、希望波に対して隣接妨害波が検出されなかった場合は、フィルタ切替制御信号Ｃ１２によりフィルタ重畳は行わない。
【００６２】
したがって、ミキサー５から送出したＩＦ信号をモニタし、希望波に対して、高周波数帯域側に隣接妨害波が存在すれば、広帯域ＢＰＦ７にＬＰＦ７ｂを重畳し、また、希望波に対して低周波数帯域側に隣接妨害波が存在すれば、広帯域ＢＰＦ７にＨＰＦ７ｃを重畳してフィルタリングすることにより、高感度を保った状態で、ノイズを除去した受信が可能となる。なお、上述した実施の形態３では、最初に高周波数側の隣接妨害波を検出し、その後に低周波数側の隣接妨害波の検出を行ったが、この順番を逆にしてもよい。
【００６３】
（実施の形態４）
つぎに、この発明の実施の形態４について説明する。実施の形態１〜３では、隣接妨害波の検出と異なるフィルタによるフィルタリングとＩ／Ｑベースバンドへの復調とを、制御部１３外のハードウェアで行っていたが、この実施の形態４では、上述した全てを制御部１３内のＤＳＰ１９とＣＰＵ２０で行うことを特徴としている。
【００６４】
図１０は、この発明の実施の形態４である受信装置１Ｄの構成を示すブロック図である。なお、図１と同一の機能については同一の符号を付す。
【００６５】
まず、アンテナ２と、フロントエンド３を介して受信したＲＦ信号を、ミキサー５で、１次局部発振器４からの復調信号を混合することによって、ＩＦ信号に変換する。
【００６６】
つぎに、ＩＦ信号をＡ／Ｄコンバータ２１に送出し、デジタル信号に変換する。さらに、デジタル化されたＩＦ信号を制御部１３に送出する。制御部１３は、ＤＳＰ１９と、ＣＰＵ２０とで構成されており、ＤＳＰ１９とＣＰＵ２０は、ＩＦ信号に対してＢＰＦ機能と、直交復調機能と、隣接妨害波検出機能と、妨害波除去機能とを有していて、適時その機能を使用することができる。
【００６７】
隣接妨害波の検出方法と、隣接妨害波の除去方法とは、実施の形態１〜３で説明した内容のいずれかであってもよいし、また、実施の形態１〜３で説明した内容のものを組み合わせたものであってもよい。
【００６８】
この発明の実施の形態４では、制御部１３内で隣接妨害波の検出と除去と、また、Ｉ／Ｑベースバンド信号への復調をもＤＳＰ１９とＣＰＵ２０間の信号処理で行っているため、ＢＰＦ、検波器、ミキサー、２次局部発振器等のハードウェアを必要としない。その結果、受信装置１Ｄがコンパクトになり、また、種々の信号のやり取り時間が短縮されるため、隣接妨害波が発生した場合の処理時間が短くて済む。
【００６９】
（実施の形態５）
つぎに、この発明の実施の形態５について説明する。この発明の実施の形態５は、制御部１３が希望波を時間的に不連続に受信していることを利用し、希望波を受信していない空きフレームに、隣接チャンネルをモニタして隣接妨害波を検出し、隣接妨害波を検出した場合は、次回の希望波受信時に、予め他の適当なＢＰＦを設定しておくことを特徴としている。
【００７０】
図１１は、制御部１３に入力されるＩＦ信号の形式を示す。制御部１３は、受信フレーム３１と、空きフレーム３０とを交互に受信している。受信フレーム３１は、受信タイミングを示す同期ワード信号３１ａと、データ内容を示すデータ信号３１ｂと、データの修正を示す誤り訂正信号３１ｃとから構成されている。
【００７１】
制御部１３では、空きフレーム３０で希望波の隣接チャンネルをモニタし、隣接妨害波を検出するようにしている。たとえば、受信フレーム（１）３１が終了し、空きフレーム（２）３０に入ると、制御部１３は、受信周波数帯域を希望波の周波数帯域から隣接チャンネルの周波数帯域に変更する。そして、隣接チャンネルの周波数帯域で受信信号があれば、隣接妨害波が検出されたと判断する。隣接妨害波が検出された場合は、制御部１３は、受信フレーム（２）３１受信開始時に、受信フレーム（１）３１で用いられたフィルタ以外のフィルタを用いてフィルタリングする。この場合、受信フレーム（１）３１で用いられたフィルタ以外のフィルタとは、実施の形態１〜３で説明したいずれかのフィルタであってもよいし、また、いずれかを組み合わせたフィルタであってもよい。また、空きフレーム（３）３０受信時に妨害波が検出されない場合は、制御部１３は、図示しない受信フレーム（３）３１受信時には、受信フレーム（１）３１で用いたフィルタと同じフィルタを用いてフィルタリングする。
【００７２】
ここで、図１３に示すフローチャートをもとに、制御部１３による隣接妨害波の検出とＢＰＦフィルタの設定変更について具体的に説明する。ここでは、隣接妨害波が検出された場合は、制御部１３内で、予め広帯域フィルタ機能から狭帯域フィルタ機能に切替えるとした場合について説明する。まず、制御部１３はミキサー５から送出されＡ／Ｄコンバータ２１によってデジタル化されたＩＦ信号を受信する。そこで、受信信号が空きフレーム３０か否かを判断する（ステップＳ４０１）。もし、空きフレーム３０を受信していると判断した場合（ステップＳ４０１  Ｙｅｓ）は、受信周波数帯を隣接妨害周波数帯域に変更し、隣接妨害波検出を判断する（ステップＳ４０２）。
【００７３】
ここで、隣接妨害波が検出されたと判断すれば（ステップＳ４０２  Ｙｅｓ）、次の受信フレーム時は狭帯域ＢＰＦを設定（ステップＳ４０３）してフィルタリングを行う。また、隣接妨害波が検出されないと判断すれば（ステップＳ４０２  Ｎｏ）、次の受信フレーム時は、フィルタの設定変更を行わず、広帯域ＢＰＦ（ステップＳ４０４）でフィルタリングを行う。
【００７４】
この発明の実施の形態５では、制御部１３が希望波を受信していない空きフレームの時間を利用して、隣接妨害波の検出を行い、かつフィルタの設定を予め変更するため、隣接妨害波の検出と除去のために時間を要しない。上述した実施の形態５では、隣接妨害波の除去を制御部１３内で行う説明を行ったが、隣接妨害波の除去を実施の形態１〜３で説明したように、制御部１３外のハードウェアで行ってもよい。また、この実施の形態５では、隣接妨害波が検出された場合、広帯域ＢＰＦから狭帯域ＢＰＦに変更する説明を行ったが、このフィルタは、実施の形態１〜３で説明したいずれかのフィルタであってもよいし、また、実施の形態１〜３で説明したフィルタを複数組み合わせたものであってもよい。
【００７５】
（実施の形態６）
つぎに、この発明の実施の形態６について説明する。この発明の実施の形態６は、制御部１３で入力するデジタル信号中で、エラー信号を意味するビットエラーレート（ＢＥＲ：Ｂｉｔ  Ｅｒｒｏｒ  Ｒａｔｅ）に所定値を設定し、該設定値を隣接妨害波検出基準とすることができ、隣接妨害波が検出されたと判断した場合は、ＩＦ信号をフィルタリングするフィルタを変更することを特徴としている。
【００７６】
図１３は、この発明の実施の形態６である受信装置１Ｅの構成を示すブロック図である。なお、図１０と同一の機能については同一の符号を付す。ＤＳＰ１９ａは、ＢＰＦ（隣接妨害波検出）機能の替わりにＢＥＲカウンター機能を備えている。制御部１３で入力するＩＦ信号はデジタル化されているため、所定のＢＥＲを超えるか否かによって、受信信号に隣接妨害波が混在しているかの判断をすることができる。つまり、予め所定のＢＥＲを設定しておき、ＢＥＲカウンターが所定値を超えた場合、隣接妨害波が検出されたと判断し、フィルタ検索を行い、他の適当なフィルタを用いてフィルタリングを行う。
【００７７】
ここで、図１４に示すフローチャートをもとに、制御部１３による隣接妨害波の検出とＢＰＦフィルタの検索について具体的に説明する。まず、制御部１３は、ミキサー５から送出されたデジタル化されたＩＦ信号を受信する。そして、信号中のＢＥＲの値を計測し、ＢＥＲの値が所定値を超えているか否かを判断する（ステップＳ５０１）。
【００７８】
もし、ＢＥＲの値が所定値を超えていたら（ステップＳ５０１  Ｙｅｓ）、フィルタ検索を行う（ステップＳ５０２）。たとえば、ＢＥＲが所定値を超えていた場合、狭帯域ＢＰＦ８を設定すると予め準備している場合は、フィルタ検索（ステップＳ５０２）では、狭帯域ＢＰＦを選択することになる。したがって、ＩＦ信号は、狭帯域ＢＰＦによってフィルタリングされて、再び制御部１３でＢＥＲの値が計測される（ステップＳ５０３）。
【００７９】
さらに、もし、ここでもＢＥＲの値が所定値を超えるような場合は、たとえば、さらにＬＰＦ重畳を設定すると予め準備しておけば、フィルタ検索（ステップＳ５０２）では、狭帯域ＢＰＦに、ＬＰＦ重畳を設定する。このようにして、ＢＥＲの値が所定値以下になるまで、この作業を続ける。
【００８０】
上述のフィルタ検索については、予め複数のフィルタを準備しておいてもよいし、検索時に無作為にフィルタを決定してしてもよい。また、上述の他の適当なフィルタも、実施の形態１〜３で説明したいずれかのフィルタであってもよいし、また、実施の形態１〜３で説明したフィルタを複数組み合わせたものであってもよい。
【００８１】
この発明の実施の形態６では、隣接妨害波の検出基準が受信目的や受信環境に対応して随時可変できるので、受信状況に柔軟に対応できる。また、隣接妨害波の検出にあたっても、ソフトウェアで処理できるので、対応が迅速に行える。また、状況変化に対応させることができる。
【００８２】
（実施の形態７）
つぎに、この発明の実施の形態７について説明する。この発明の実施の形態７は、制御部１３で復調したＩ／Ｑベースバンド信号の変調精度（ＥＶＭ：Ｅｒｒｏｒ  Ｖｅｃｔｏｒ  Ｍａｇｎｉｔｕｄｅ）の値が所定値を超えることを、隣接妨害波検出の判断基準とし、隣接妨害波が検出されたと判断した場合は、ＩＦ信号をフィルタリングするフィルタを変更することを特徴としている。
【００８３】
図１５は、この発明の実施の形態７である受信装置１Ｆの構成を示すブロック図である。なお、図１０と同一の機能については同一の符号を付す。ＤＳＰ１９ｂは、ＢＰＦ（隣接妨害波検出）機能の替わりにＥＶＭカウンター機能を備えている。制御部１３で入力するＩＦ信号はデジタル化されているため、所定のＥＶＭを超えたか否かによって、受信信号に隣接妨害波が混在しているか否かの判断をすることができる。つまり、予め所定のＥＶＭを設定しておき、ＥＶＭカウンターが所定値を超えた場合、隣接妨害波が検出されたと判断し、フィルタ検索を行い、他の適当なフィルタを用いてフィルタリングを行う。
【００８４】
ここで、図１６に示すフローチャートをもとに、制御部１３による隣接妨害波の検出とＢＰＦフィルタの検索について具体的に説明する。まず、制御部１３は、ミキサー５から送出されたデジタル化されたＩＦ信号を受信する。そして、信号中のＥＶＭの値を計測し、ＥＶＭの値が所定値を超えているか否かを判断する（ステップＳ６０１）。
【００８５】
もし、ＥＶＭの値が所定値を超えていたら（ステップＳ６０１  Ｙｅｓ）、フィルタ検索を行う（ステップＳ６０２）。フィルタ検索（ステップＳ６０２）によって、他の適当なフィルタが選択される。そして、選択された他のフィルタによって、ＩＦ信号はフィルタリングされて、再び制御部１３でＥＶＭの値が計測される（ステップＳ６０３）。
【００８６】
さらに、もし、ここでもＥＶＭの値が所定値を超えるような場合は、さらに、フィルタ検索（ステップＳ６０２）され、他の適当なフィルタが選択されて、ＩＦ信号がフィルタリングされる。そして、ＥＶＭの値が所定値以下になるまで、この作業が続けられる。
【００８７】
上述のフィルタ検索については、予め複数のフィルタを準備しておいてもよいし、検索時に無作為にフィルタを決定してしてもよい。また、上述の他の適当なフィルタも、実施の形態１〜３で説明したいずれかのフィルタであってもよいし、また、実施の形態１〜３で説明したフィルタを複数組み合わせたものであってもよい。
【００８８】
この発明の実施の形態７では、隣接妨害波の検出手段を信号処理とするため、受信目的や受信環境に合わせてされた時の対処手段も可変であるので、受信環境に柔軟に対応できる。
【００８９】
【発明の効果】
以上に説明したように、請求項１の発明によれば、希望波の周波数帯域の隣接するチャンネルの隣接妨害波検出を行い、隣接妨害波の検出有無によって広帯域および狭帯域のフィルタリングの切替えを行っているので、簡易な構成で、高精度かつ受信感度が高い希望波を受信できるという効果を奏する。
【００９０】
また、請求項２の発明によれば、ベースバンド信号をもとに、ビットエラー値に所定の基準値を設けることによって隣接妨害波の検出を行い、この隣接妨害波の検出によって、簡易な構成で、高精度かつ受信感度が高い希望波を受信できるという効果を奏する。
【００９１】
また、請求項３の発明によれば、ベースバンド信号をもとに、変調精度に所定の基準値を設けることによって隣接妨害波の検出を行い、この隣接妨害波の検出によって簡易な構成で、高精度かつ受信感度が高い希望波を受信できるという効果を奏する。
【００９２】
また、請求項４の発明によれば、隣接妨害波が検出された場合、広帯域ＢＰＦから狭帯域ＢＰＦへ切替えてフィルタリングできるという効果を奏する。
【００９３】
また、請求項５の発明によれば、広帯域ＢＰＦと、狭帯域ＢＰＦとに夫々検波器を接続することによって、隣接妨害波が希望波に対して高周波数帯域に存在するのか、低周波数帯域に存在するのかを分別できるという効果を奏する。
【００９４】
また、請求項６の発明によれば、隣接妨害波が希望波に対して高周波数側で検出された場合は、広帯域ＢＰＦの中心周波数を低周波数帯域側にシフトさせ、隣接妨害波が希望波に対して低周波数帯域で検出された場合は、広帯域ＢＰＦの中心周波数を高周波数帯域にシフトさせてフィルタリングできるという効果を奏する。
【００９５】
また、請求項７の発明によれば、隣接妨害波が希望波に対して高周波数側で検出された場合は、広帯域ＢＰＦにさらにＬＰＦを重畳してフィルタリングし、隣接妨害波が希望波に対して低周波数帯域で検出された場合は、広帯域ＢＰＦにさらにＨＰＦを重畳してフィルタリングできるという効果を奏する。
【００９６】
また、請求項８の発明によれば、受信フレーム以外の空きフレームに隣接妨害波の検出を行い、隣接妨害波が検出された場合は、フィルタ方法を変更できるという効果を奏する。
【００９７】
また、請求項９の発明によれば、制御部が隣接妨害波の検出を行い、かつフィルタリングを行うことができるという効果を奏する。
【００９８】
また、請求項１０の発明によれば、制御部がＩＦ信号からＩ／Ｑベースバンド信号への復調ができるという効果を奏する。
【図面の簡単な説明】
【図１】この発明の実施の形態１である受信装置の構成を示すブロック図である。
【図２】この発明の実施の形態１の制御部によるＢＰＦ切替制御を説明するフローチャートである。
【図３】この発明の実施の形態１のＢＰＦ切替制御が行われた受信状態を示す説明図である。
【図４】この発明の実施の形態２である受信装置の構成を示すブロック図である。
【図５】この発明の実施の形態２の制御部による可変広帯域ＢＰＦ中心周波数変更を説明するフローチャートである。
【図６】この発明の実施の形態２の可変広帯域ＢＰＦの中心周波数変更が行われた受信状態を示す説明図である。
【図７】この発明の実施の形態３である受信装置の構成を示すブロック図である。
【図８】この発明の実施の形態３の制御部によるフィルタ切替制御を説明するフローチャートである。
【図９】この発明の実施の形態３の広帯域ＢＰＦにフィルタを重畳した受信状態を示す説明図である。
【図１０】この発明の実施の形態４である受信装置の構成を示すブロック図である。
【図１１】この発明の実施の形態５の制御部に入力されるＩＦ信号の形式を示す説明図である。
【図１２】この発明の実施の形態５の制御部に入力されるＩＦ信号の信号処理を示すフローチャートである。
【図１３】この発明の実施の形態６である受信装置の構成を示すブロック図である。
【図１４】この発明の実施の形態６の制御部における信号処理を示すフローチャートである。
【図１５】この発明の実施の形態７である受信装置の構成を示すブロック図である。
【図１６】この発明の実施の形態７の制御部における信号処理を示すフローチャートである。
【図１７】従来の受信装置の構成を示すブロック図である。
【符号の説明】
１Ａ，１Ｂ，１Ｃ，１Ｄ，１Ｅ，１Ｆ，１００  受信装置
２    アンテナ
３    フロントエンド
４    １次局部発振器
５，１０    ミキサー
６，６ａ    スイッチ
７    広帯域ＢＰＦ
７ａ  可変広帯域ＢＰＦ
７ｂ  ＬＰＦ
７ｃ  ＨＰＦ
８    狭帯域ＢＰＦ
９    ２次局部発振器
１１，１２，２１  Ａ／Ｄコンバータ
１３    制御部
１４    アンプ
１５    スピーカ
１６    ＋側隣接チャンネル用ＢＰＦ
１７    −側隣接チャンネル用ＢＰＦ
１８，１８ａ，１８ｂ  検波器
１９    ＤＳＰ
２０    ＣＰＵ
３０    空きフレーム
３１    受信フレーム
３１ａ  同期ワード
３１ｂ  データ
３１ｃ  誤り訂正
Ｗ１    希望波領域
Ｗ２，Ｗ３  妨害波領域
ＦＷ    広帯域ＢＰＦ領域
ＦＮ    狭帯域ＢＰＦ領域
ＦＬ    低周波数帯域ＢＰＦ領域
ＦＨ    高周波数帯域ＢＰＦ領域
ＣＦＷ  可変広帯域ＢＰＦ領域
Ｃ１０  ＢＰＦ切替制御信号
Ｃ１１  中心周波数変更信号
Ｃ１２  フィルタ切替制御信号
Ｓ１０，Ｓ２１，Ｓ２２  検出信号
Ｍ１，Ｍ２  マージン
【図１】
2004364049.tif 000003
【図２】
2004364049.tif 000004
【図３】
2004364049.tif 000005
【図４】
2004364049.tif 000006
【図５】
2004364049.tif 000007
【図６】
2004364049.tif 000008
【図７】
2004364049.tif 000009
【図８】
2004364049.tif 000010
【図９】
2004364049.tif 000011
【図１０】
2004364049.tif 000012
【図１１】
2004364049.tif 000013
【図１２】
2004364049.tif 000014
【図１３】
2004364049.tif 000015
【図１４】
2004364049.tif 000016
【図１５】
2004364049.tif 000017
【図１６】
2004364049.tif 000018
【図１７】
2004364049.tif 000019